(57)【特許請求の範囲】
【請求項１】
浴槽に設けた吸出口より浴槽水を吸い出し、循環ポンプにて追焚回路を循環させるとともに、２缶２水路１バーナ形式の熱交換器内に位置する該追焚回路の加熱部において該追焚回路内の浴槽水を加熱して該浴槽の戻し口より浴槽内に戻すことによって浴槽水を追焚きするに際し、該追焚回路における該浴槽から該熱交換器までの吸出側の浴槽水の温度を検知する第一水温検知センサを設け、該第一水温検知センサによる検知温度が設定温度となったところで前記バーナ及び循環ポンプを停止させる浴槽水の追焚方法において
前記追焚回路における熱交換器から浴槽への戻り側の浴槽水の温度を検知する第二水温検知センサを設け、該第二水温検知センサによる戻り側の浴槽水の温度検知に基づいて前記バーナをオン・オフ制御し、以て戻り側の浴槽水の温度を予め定めた特定温度以下に保持するようになしたことを特徴とする浴槽水追焚方法。
【発明の詳細な説明】
【０００１】
【産業上の利用分野】
この発明は浴槽水の追焚方法に関し、詳しくは２缶２水路１バーナ形式の熱交換器を用いて浴槽水を追焚きする方法に関する。
【０００２】
【従来の技術】
浴槽水の追焚方法として、浴槽の吸出口より浴槽水を吸い出し、循環ポンプにて追焚回路を循環させるとともに、これを熱交換器内で加熱した上で再び浴槽の戻し口から戻す方法が広く実施されている。
【０００３】
ここで熱交換器としては、従来図２に示すような形式のものが知られている。図中（イ）の例は１缶２水路１バーナ形式と呼ばれるもので、追焚回路１００の管状の加熱部１０２を熱交換器内部に位置させ、熱交換器内の単一のバーナ１０４によって追焚回路１００の加熱部１０２の加熱と、給湯回路１０６における熱交換器内の給湯タンク１０８内の水の加熱とを併せて行うようにしたものである。
【０００４】
（ロ）の例は２缶２水路１バーナ形式といわれるもので、互いに独立に設けられた追焚回路１００と給湯回路１０７の各並走する管状の加熱部１０２，１１０を単一のバーナ１０４にて加熱するようにしたものであり、また（ハ）の例は２缶２水路２バーナ形式といわれるもので、互いに独立に設けられた追焚回路１００の加熱部１０２と給湯回路１０７の加熱部１１０とをそれぞれ別々のバーナ１０４，１０４にて独立に加熱するようにしたものである。
【０００５】
本発明は、熱交換器としてこれらのうち（ロ）の２缶２水路１バーナ形式のものを用いた場合の追焚方法に関するものである。
この（ロ）の２缶２水路１バーナ形式の熱交換器を用いた従来の追焚方法においては、図３に示しているように追焚回路１００における浴槽から熱交換器への吸出側の部分に、管路内の浴槽水温を検知する水温検知センサ（サーミスタ）１１６を設け、この水温検知センサ１１６による検知温度が設定温度、例えば４０℃となったところで循環ポンプ及びバーナ１０４を停止させるようにしている。即ちここにおいて浴槽水が目標温度となったものとして、追焚動作を停止させるわけである。
【０００６】
【発明が解決しようとする課題】
ところでこの２缶２水路１バーナ形式の熱交換器の場合、単一のバーナ１０４にて追焚回路１００と給湯回路１０７の水を加熱するようにしていることから、追焚回路１００の加熱部１０２をバーナ１０４にて加熱しているとき、給湯回路１０７の加熱部１１０、具体的には加熱部１１０内の水も同時に加熱されてしまうことになる。
【０００７】
而して従来の浴槽水の追焚方法では、浴槽水を連続的に循環させつつ熱交換器内でこれを連続加熱するようにしていることから、即ちバーナ１０４を連続燃焼させつつ加熱するようにしていることから、給湯回路１０７内の加熱部１１０に停滞している水が過加熱されてしまい、場合によって沸騰点近くまで加熱されてしまう問題がある。特に熱交換器の能力が大きい場合においてこうした現象が生じやすい。
従って、次に給湯回路１０７の水を水栓の吐水口等から吐水させたとき、いきなり熱いお湯が出てしまうといった問題を生ずる。
【０００８】
【課題を解決するための手段】
本願の発明はこのような課題を解決するためになされたものであり、その要旨は、浴槽に設けた吸出口より浴槽水を吸い出し、循環ポンプにて追焚回路を循環させるとともに、２缶２水路１バーナ形式の熱交換器内に位置する該追焚回路の加熱部において該追焚回路内の浴槽水を加熱して該浴槽の戻し口より浴槽内に戻すことによって浴槽水を追焚きするに際し、該追焚回路における該浴槽から該熱交換器までの吸出側の浴槽水の温度を検知する第一水温検知センサを設け、該第一水温検知センサによる検知温度が設定温度となったところで前記バーナ及び循環ポンプを停止させる浴槽水の追焚方法において、前記追焚回路における熱交換器から浴槽への戻り側の浴槽水の温度を検知する第二水温検知センサを設け、該第二水温検知センサによる戻り側の浴槽水の温度検知に基づいて前記バーナをオン・オフ制御し、以て戻り側の浴槽水の温度を予め定めた特定温度以下に保持するようになしたことにある。
【０００９】
【作用及び発明の効果】
上記のように本発明は、追焚回路における戻り側の浴槽水の水温を検知する第二水温検知センサを設け、この第二水温検知センサによる水温検知に基づいて熱交換器のバーナをオン・オフ制御し、浴槽水の温度を設定温度以下に保つようにしたもので、本発明によれば熱交換器内における給湯回路内の水が過加熱されるのを防止することができる。
【００１０】
例えば、追焚回路における戻り側の浴槽水の温度の上限値を４５℃と設定しておいた場合、熱交換器内にて加熱された戻り側の浴槽水が４５℃に達すると、そこで熱交換器のバーナがオフ動作され、そして一定時間経過して戻り側の浴槽水温が低下したところで再びバーナが点火され、戻り側の浴槽水が再び加熱される。
【００１１】
そしてこのような動作が繰り返し行われ、最終的に浴槽内の水の温度が所望温度、即ち吸出側の浴槽水の温度が設定温度、例えば４０℃に到達すると、そこで循環ポンプ及びバーナが停止され、ここにおいて追焚きが完了する。
【００１２】
本例においては、タイマーを併用してバーナのオン・オフ制御を行うようにすることも可能である。即ち第二水温検知センサによる温度検知に基づいてバーナのオン・オフ制御するのと併せて、バーナが設定時間連続して燃焼し続けたとき、一旦バーナをオフさせるようになすことができる。
このようにした場合、より確実に熱交換器内における給湯回路の水の過加熱を防止することが可能となる。
【００１３】
【実施例】
次に本発明の実施例を図面に基づいて詳しく説明する。
図１において、１０は浴槽１２内の浴槽水１４を追焚きするための追焚回路で、浴槽１２の吸出口１６から石油給湯機における熱交換器１８までの吸出側管路２０上に循環ポンプ２１と、第一水温検知センサ（サーミスタ）２２及び流水スイッチ２４が設けられている。
【００１４】
ここで第一水温検知センサ２２は、吸出側管路２０内の浴槽水１４の温度を検知するもので、また流水スイッチ２４は管路内を水が流れているか否かを検知するものである。この流水スイッチ２４は、空焚きを防止するためのものである。
【００１５】
一方、熱交換器１８から浴槽１２の戻し口２６までの戻り側管路２８上には、その内部の浴槽水１４の温度を検知する第二水温検知センサ（サーミスタ）３０が設けられている。
【００１６】
尚、３２は給湯回路で、管状の加熱部３６が追焚回路１０における管状の加熱部３４と並んで位置させられており、それらが単一のバーナ３８によって共通に加熱されるようになっている。
【００１７】
本例において、浴槽水１４の追焚きの過程では循環ポンプ２１の作動により浴槽１２の吸出口１６より浴槽水１４が吸い出され、そして追焚回路１０の吸出側管路２０内を流れて熱交換器１８内に入り、そこでバーナ３８により加熱された上、戻り側管路２８内を通って浴槽１２の戻し口２６より浴槽１２内へと戻される。
このとき同時に給湯回路３２の加熱部３６もまた熱交換器１８内のバーナ３８によって加熱される。
【００１８】
そして浴槽水１４が追焚回路１０内を繰り返し循環することによって浴槽水１４の温度が上昇する。この間、吸出側管路２０内の浴槽水１４の温度が第一水温検知センサ２２によって連続的に検知される。
【００１９】
一方、戻り側管路２８の浴槽水１４の温度は第二水温検知センサ３０によって連続的に検知される。そしてこの戻り側管路２８内の浴槽水１４の温度が設定温度、例えば４５℃に到達すると、第二水温検知センサ３０による検知に基づいてバーナ３８がオフ動作される。
【００２０】
他方循環ポンプ２１は引き続いて作動状態にあり、このため一定時間経過すると戻り側管路２８の浴槽水１４の温度が低下する。そこで再びバーナ３８が点火され、戻り側管路２８の浴槽水１４が再び加熱される。
【００２１】
そしてこのような動作が繰り返し行われ、最終的に浴槽１２内の水の温度が所望温度、即ち吸出側管路２０の浴槽水１４の温度が設定温度、例えば４０℃に到達すると、そこで循環ポンプ２１及びバーナ３８が停止され、ここにおいて追焚きが完了する。
【００２２】
本例においては、追焚回路１０における戻り側管路２８の浴槽水１４の水温を検知する第二水温検知センサ３０を設け、この第二水温検知センサ３０による水温検知に基づいてバーナ３８をオン・オフ制御し、戻り側管路２８の浴槽水１４の温度を予め定めた特定温度以下に保つようにしているため、熱交換器１８内における給湯回路３２内の水が過加熱されるのを防止できる。
従って本例によれば、給湯回路３２上に設けられた水栓から温水を吐水させたとき、いきなり熱いお湯が吐水されるといった危険を回避することができる。
【００２３】
尚、本例では第二水温検知センサ３０による水温検知に基づいてバーナ３８をオン・オフ制御するようにしているが、タイマーを併用し、バーナ３８が一定時間連続して燃焼し続けた時点で、一旦これをオフ動作させるように制御するといったことも可能であり、この場合給湯回路３２の加熱部３６内の水が過加熱されるのをより確実に防止できる。
【００２４】
以上本発明の実施例を詳述したがこれはあくまで一例示であり、本発明はその主旨を逸脱しない範囲において、当業者の知識に基づき様々な変更を加えた態様で実施可能である。
【図面の簡単な説明】
【図１】本発明の一実施例である浴槽水の追焚方法を示した概略図である。
【図２】浴槽水の追焚きに用いられる熱交換器の各種形式を示した図である。
【図３】従来の浴槽水の追焚方法を示した図である。
【符号の説明】
１０  追焚回路
１２  浴槽
１４  浴槽水
１６  吸出口
１８  熱交換器
２０  吸出側管路
２１  循環ポンプ
２２  第一水温検知センサ
２６  戻し口
２８  戻り側管路
３０  第二水温検知センサ
３８  バーナ
【図１】
0003544396.tif 000002
【図２】
0003544396.tif 000003
【図３】
0003544396.tif 000004